(57)【要約】【課題】対面型キッチンキャビネットの型や形態に応じて個別的に現場で施工組立することなく、ユニット、部材の共通・標準化によって家族構成や住まい方などのライフスタイルによって随時に組立や変更を容易、かつ簡便に行うことのできる対面式キッチンキャビネットを提供する。【解決手段】リビングまたはダイニングルームと対面しているキッチンに設置される対面型キッチンキャビネットにおいて、キッチン側第１ユニット（１）の背板部（３）には、リビング側またはダイニング側の第２ユニット（４）または棚板が係合される係止部が備えられていることを特徴とする対面型キッチンキャビネットとする。【選択図】　　　図１
2004081302.tif 000002
【特許請求の範囲】
【請求項１】
リビングまたはダイニングルームと対面しているキッチンに設置される対面型キッチンキャビネットにおいて、キッチン側第１ユニットの背板部には、リビング側またはダイニング側の第２ユニットまたは棚板が係合される係止部が備えられていることを特徴とする対面型キッチンキャビネット。
【請求項２】
第１ユニットの背板部の係止部には、第２ユニットまたは棚板が係合される係止レールが備えられていることを特徴とする請求項１の対面型キッチンキャビネット。
【請求項３】
係止部は、第１ユニットに着脱可能とされた別体の係止ユニットとして構成されていることを特徴とする請求項１または２の対面型キッチンキャビネット。
【請求項４】
係止ユニットは、配管がその内部に配設される空間を有していることを特徴とする請求項３の対面型キッチンキャビネット。
【請求項５】
係止ユニットは、その上部および下部に第１ユニットの上端および下端へ延設載置される延設部を各々備えており、上部延設部の上方からカウンターが載置されるようにしたことを特徴とする請求項３または４の対面型キッチンキャビネット。
【発明の詳細な説明】
【０００１】
【発明の属する技術分野】
この出願の発明は、対面型キッチンキャビネットに関するものである。さらに詳しくは、この出願の発明は、室内への対面型キッチンキャビネットの配置状態に応じて、簡便に組立や変更ができ、部材、部品の共通化を図って、バリエーション展開を容易とすることができる新しい対面型キッチンキャビネットに関するものである。
【０００２】
【従来の技術】
従来より、キッチン空間とリビングまたはダイニングの空間とを遮断することなしに双方向に開放し、空間感覚に広がりを持たせ、調理と食事の時空間の共有化や会話を楽しむようにした対面型カウンターキッチンが知られており、実際にも、たとえば図９に例示したように、
（Ａ）上面にわずかな段差があるか、もしくは実質的に段差がなく平面であ　　るアイランド型；
（Ｂ）段差を有する対面型；および
（Ｃ）簡易対面型
が代表的な構造として知られている。
【０００３】
アイランド型（Ａ）の場合には、キッチン側キャビネットユニット（ａ）とリビング側またはダイニング側収納部（ｂ）との上面に載置されるカウンター（ｃ）には、わずかな段差が設けられているか、もしくは段差がなく平面であるため、リビング側またダイニング側とキッチン側との間をより開放的なものとすることができる。一方、段差を有する対面型（Ｂ）の場合には、リビングまたはダイニング側に収納部（ｂ）が設けられ、カウンター（ｃ）には、リビングまたはダイニング側からはキッチンのカラン等が見えない高さの段差が設けられている。このため、収納部（ｂ）の向こう側にキッチンがあるということは目立ちにくいという特徴がある。簡易対面型（Ｃ）の場合には、段差を有する対面型（Ｂ）の場合の収納部（ｂ）に代えて、より簡素な棚（ｄ）が設けられて対面型カウンターキッチンが構成されている。
【０００４】
【発明が解決しようとする課題】
しかしながら、以上のような従来の対面型カウンターキッチンの場合、その構造の種類に応じて各々特有の部材・部品をもって現場で施工組立する必要があり、ユニットが共通化されていないため構造を変更することが容易ではなかった。利用者（居住者）にとっては、その家族構成や住まい方などのライフスタイルの変化によってその変更を行いたい時でも、上記の問題点のためにキッチンカウンターを全て取り替えることとなり、経済的にも負担になり、また設置工事などによる大きな手間もかかった。
【０００５】
そこでこの出願の発明は、以上のとおりの事情に鑑みてなされたものであって、従来の問題点を解消し、対面型キッチンカウンターの構造に応じて現場で各々特有の施工組立を行う必要性がなく、組立の標準化やユニットの共通化を図り、家族構成や住まい方などのライフスタイルの変化によってその変更を容易、かつ、簡便に行うことのできる、新しい対面式キッチンキャビネットを提供することを課題としている。
【０００６】
【課題を解決するための手段】
この出願の発明は、上記の課題を解決するものとして、第１には、リビングまたはダイニングルームと対面しているキッチンに設置される対面型キッチンキャビネットにおいて、キッチン側第１ユニットの背板部には、リビング側またはダイニング側の第２ユニットまたは棚板が係合される係止部が備えられていることを特徴とする対面型キッチンキャビネットを提供する。
【０００７】
またこの出願の発明は、上記の発明について、第２には、第１ユニットの背板部の係止部には、第２ユニットまたは棚板が係合される係止レールが備えられていることを特徴とする対面型キッチンキャビネットを、第３には、係止部は、第１ユニットに着脱可能とされた別体の係止ユニットとして構成されていることを特徴とする対面型キッチンキャビネットを、第４には、係止ユニットは、配管がその内部に配設される空間を有していることを特徴とする対面型キッチンキャビネットを、また第５には、係止ユニットは、その上部および下部に第１ユニットの上端および下端へ延設載置される延設部を各々備えており、上部延設部の上方からカウンターが載置されるようにしたことを特徴とする対面型キッチンキャビネットを提供する。
【０００８】
【発明の実施の形態】
この出願の発明は上記のとおりの特徴をもつものであるが、以下にその実施の形態について詳しく説明する。
【０００９】
添付した図面は、この出願の発明の実施の形態について例示したものであるが、この出願の発明はこれらの例に限定されるものではない。
【００１０】
図面に沿って説明すると、まず、図１は、この出願の発明の一例を前記のアイランド型の場合として模式的に示したのである。キッチン側第１ユニット（１）には、その背板部（３）にリビング側またはダイニング側の第２ユニット（４）が取付設置されている。
【００１１】
そして、この第２ユニット（４）の取付設置のための具体的な手段として、キッチン側キャビネットである第１ユニット（１）の背板部（３）には第２ユニット（４）が係合される係止部が設けられている。なお、第２ユニット（４）については、収納キャビネットとして扉が設けられた箱状体であってもよいし、扉のないものであってもよい。
【００１２】
そしてこの図１の例のアイランド型の形態においては、上部に設置されるカウンター（２）には、キッチン側第１ユニット（１）とリビングまたはダイニング側第２ユニット（４）の上面がフラットな平板状とされ、段差は設けられていない。
【００１３】
そして、この出願の発明においては、以上の例のような箱状体の第２ユニット（４）に限定されることなしに、キッチン側第１ユニット（１）の背板部（３）に、その係止部をもって棚板が所望の枚数で係合取付けされていてもよい。
【００１４】
このように背板部（３）の係止部に、上記例示のようなリビングまたはダイニング側の第２ユニット（４）や棚板が係止取付けされるようしたこの出願の発明では、図１の例のようにカウンター（２）に段差のないアイランド型のような特有な形式のものでも、箱状の収納部を有する第２ユニット（４）と棚板を標準部材・部品として用意しておくことにより、それらの組立施工や変更が随時、かつ容易に可能とされる。
【００１５】
また、カウンター（２）が段差を有する従来の対面型や簡易対面型のカウンターキッチンの場合においても同様に簡便、かつ容易な組立、そして変更が可能になる。
【００１６】
このような作用効果は、上記のとおりの背板部（３）に設ける係止部を工夫し、ほとんどワンタッチで位置決めや係合取付けができるようにすることでより顕著なものとなる。図２および図３はその代表的な例を示したものである。
【００１７】
図２では、キッチン側キャビネットとしての第１ユニット（１）の背板部（３）に、上記係止部としての係止レール（３１）を配置した例を模式的に示している。そしてこの係止レール（３１）には、図３に例示したように、レール部材（４１）を備えた第２ユニット（４）や、同様のレール部材（５１）をその側端部等に備えた棚板（５）が、これらレール部材（４１）（５１）によって係合されるようにしている。もちろんレール部材（３１）（４１）（５１）については、その素材は金属や樹脂、あるいは木質材等の各種であってもよく、レール部材（３１）の背板部（３）への取付けは、溝取付け、あるいは外面への付加取付け等の適宜の形態であってよい。レール部材（４１）（５１）の第２ユニット（４）や棚板（５）への取付けについても同様である。
【００１８】
もちろん、上記の係止部については、以上のようなレール部材（３１）（４１）（５１）を介して係合だけでなく、より小さな係止金具による係合等であってよいことは言うまでもない。
【００１９】
また、この出願の発明の対面型キッチンキャビネットにおいては、たとえば図２および図３のレール部材（３１）（４１）（５１）による係合構造をはじめとする各種の係合構造において、第２ユニット（４）や棚板（５）を背板部（３）に係合しない場合には、図３にも例示したように化粧板（６）を係合して化粧面をリビングまたはダイニング側に向くようにしてもよい。
【００２０】
レール部材（３１）（４１）（５１）を用いる場合、あるいはそうでない場合の係合の構造としては、たとえば図４の要部断面図に模式的に例示したように、背板部（３）に対して、係止部（３０）とたとえば第２ユニット（４）の係止部（４０）とによる引掛式構造（Ａ）、あるいはケンド式構造（Ｂ）として結合すること等が考慮される。
【００２１】
この出願の発明の対面型キッチンキャビネットにおいては、以上の係合構造だけでなく、部材、部品の共通標準化がさらに考慮される。たとえば、背板部（３）の高さやカウンター（２）の大きさについての標準化である。図５に例示したように、カウンター（２）に段差のある対面型の場合、そして段差のないアイランド型の場合では、所定の高さの異なる背板部（３）や、広さの異なるカウンター（２）を用意しておくことで、これを簡便に組立取付けすることや、随時に変更することが容易となる。
【００２２】
さらに背板部（３）については、上記の係止部がキッチン側の第１ユニット（１）の背板位置に着脱自在とされた別体の係止ユニットとして構成することができる。このような別体としての係止ユニットとしては、その内部に配管や配線のための空間を有したものが例示される。
【００２３】
図６は、係止ユニット（７）の内部の空間に、配管を配置した例を示した断面模式図であり、図６（Ａ）では係止ユニット（７）の内部にシンク（８）に連通する配管（９）を配置している。この構造とすることで、キッチン側キャビネットとしての第１ユニット（１）のシンク（８）下の空間を収納等のためにより広く活用することが可能になる。また、図６（Ｂ）ではカウンター（２）の面に設けた排水口よりカウンターでこぼれた水等を排水することのできる排水管（１０）を係止ユニット（７）の内部空間に設けている。
【００２４】
そして、この出願の発明の対面型キッチンキャビネットにおいては、上記の第１ユニット（１）に対して上記の係止ユニット（７）を取付ける際に、第１ユニットの損傷を抑えて、かつ外観に影響を与えずに安定して固定するための構造として、たとえば図７に例示したように、係止ユニット（７）は、その上部および下部に第１ユニット（１）の上端および下端へ延設載置される延設部（７１）（７２）を各々備えており、上部延設部（７１）の上方からカウンター（２）が載置されるようにしたものが好適なものの一つとして例示される。
【００２５】
この場合の延設部（７１）（７２）については、図７の例のように面状のものだけでなく、図８のように、桟状等の各種の形態のものであってもよい。
【００２６】
もちろん、この出願の発明は以上の例示に限られることはなく、その細部の形状において様々に可能であることは言うまでもない。
【００２７】
【発明の効果】
以上、詳しく説明したとおり、この出願の発明によって、キッチンカウンターの各種の型や形態に応じて各々特定の部材や部品をもって特定の構造として現場施工することなく、ユニットや部材、部品の共通・標準化によって、家族構成や住まい方などのライフスタイルに応じて対面型のキッチンカウンターの組立と変更を容易、かつ、簡便に行うことのできる対面式キッチンカウンターが提供される。
【図面の簡単な説明】
【図１】この出願の発明の対面型キッチンキャビネットをカウンターに段差のないアイランド型を例として模式的に示した側面図である。
【図２】キッチン側第１ユニット背板部における係止レール構造を例示した模式的斜視図である。
【図３】第１ユニットの係止レールへの第２ユニットと棚板、そして化粧板のレール部材を介しての係合を例示した模式的斜視図である。
【図４】引掛式の係合構造とケンド式の係合構造を模式的に例示した側面図である。
【図５】カウンターの高さを選択できるよう異なる高さの背板部や異なる広さのカウンターを設置した例を示した模式的側面図である。
【図６】係止ユニット内の空間に配管を配置した例を示した模式的断面図である。
【図７】上下に延設部を有する係止ユニットとその組立構造を例示した模式的斜視図である。
【図８】図７の例と異なる上下の延設部を有する係止ユニットを例示した模式的斜斜図である。
【図９】従来の対面型キッチンカウンターの形態例を示した側面図である。
【符号の説明】
１　第１ユニット
２　カウンター
３　背板部
３０　係止部
３１　レール部材
４　第２ユニット
４０　係止部
４１　レール部材
５　棚板
５１　レール部材
５２　係止側引掛部位
５３　嵌込凸部位
６　化粧板
７　係止ユニット
７１、７２　延設部
８　シンク
９　配管
１０　排水管
【図１】
2004081302.tif 000003
【図２】
2004081302.tif 000004
【図３】
2004081302.tif 000005
【図４】
2004081302.tif 000006
【図５】
2004081302.tif 000007
【図６】
2004081302.tif 000008
【図７】
2004081302.tif 000009
【図８】
2004081302.tif 000010
【図９】
2004081302.tif 000011